(57)【要約】      （修正有）【課題】軽量で扱い易く、設置される絵の交換及び取り外しが容易な折り畳み式の額を提供する。【解決手段】紙、段ボールなどを素材とする額１であって、基体３の一側に枠体２が連設され、基体３と枠体２とは積層可能に構成されており、基体３の表面外周部及び枠体２の内面外周部には複数のシートタイプのマグネット４が設けられ、また、基体３の表面上が、絵などの適宜な展示物を載置する載置部に設定されている。【選択図】図１
0003228589.tif 000002
【実用新案登録請求の範囲】
【請求項１】
紙，段ボールなどを素材とする額であって、基体の一側に枠体が連設され、前記基体と前記枠体とは積層可能に構成されており、前記基体の表面外周部及び前記枠体の内面外周部には複数のシートタイプのマグネットが設けられ、また、前記基体の表面上が絵などの適宜な展示物を載置する載置部に設定されていることを特徴とする折り畳み式の額。
【請求項２】
合成樹脂を素材とする額であって、基体の一側に枠体が連設され、前記基体と前記枠体とは積層可能に構成されており、前記基体の表面外周部及び前記枠体の内面外周部には複数のシートタイプのマグネットが設けられ、また、前記基体の表面上が絵などの適宜な展示物を載置する載置部に設定されていることを特徴とする折り畳み式の額。
【請求項３】
請求項１，２いずれか１項に記載の額において、前記基体の内面中央に止着部が設けられ、また、前記基体の裏面にも止着部が設けられていることを特徴とする折り畳み式の額。
【請求項４】
請求項１〜３いずれか１項に記載の額において、前記シートタイプのマグネットは、複数の小片に形成されたものであり、この小片が所定の間隔をおいて設けられていることを特徴とする折り畳み式の額。
【請求項５】
請求項１〜４いずれか１項に記載の額において、前記枠体及び前記基体は方形であることを特徴とする折り畳み式の額。
【考案の詳細な説明】
【技術分野】
【０００１】
紙，段ボール若しくはプラスチック段ボールを素材に用いた簡易な構造の折り畳み式の額に関する。
【背景技術】
【０００２】
一般的な木製の額と比べて材料費が安価であり、また、軽量で扱い易いことから、段ボールを素材とした額は従来から提唱されている。
【先行技術文献】
【特許文献】
【０００３】
【特許文献１】特開昭５２−１２６３７２号公報
【考案の概要】
【考案が解決しようとする課題】
【０００４】
上記先行技術文献に開示されている額は工業的に量産することが前提とされており、素材として段ボールが軽量である点に着目し、扱い易さを追求する一方、でき得る限り木製の額と比較して遜色ない精工な構成を実現することを意図している。
【０００５】
しかし、額の材料に段ボールを用いるメリットは素材が軽量であることに留まらず、その加工のしやすさから組み立てが容易であることが挙げられる。
【０００６】
そこで、本考案者は、軽量で扱い易く、さらに飾る絵などを簡易にセットできる実用性に優れた折り畳み式の額を開発した。
【課題を解決するための手段】
【０００７】
添付図面を参照して本考案の要旨を説明する。
【０００８】
紙，段ボールなどを素材とする額１であって、基体３の一側に枠体２が連設され、前記基体３と前記枠体２とは積層可能に構成されており、前記基体３の表面外周部及び前記枠体２の内面外周部には複数のシートタイプのマグネット４が設けられ、また、前記基体３の表面上が絵７などの適宜な展示物を載置する載置部に設定されていることを特徴とする折り畳み式の額に係るものである。
【０００９】
また、合成樹脂を素材とする額１であって、基体３の一側に枠体２が連設され、前記基体３と前記枠体２とは積層可能に構成されており、前記基体３の表面外周部及び前記枠体２の内面外周部には複数のシートタイプのマグネット４が設けられ、また、前記基体３の表面上が絵７などの適宜な展示物を載置する載置部に設定されていることを特徴とする折り畳み式の額に係るものである。
【００１０】
また、請求項１，２いずれか１項に記載の額１において、前記基体３の内面中央に止着部５が設けられ、また、前記基体３の裏面にも止着部６が設けられていることを特徴とする折り畳み式の額に係るものである。
【００１１】
また、請求項１〜３いずれか１項に記載の額１において、前記シートタイプのマグネット４は、複数の小片に形成されたものであり、この小片が所定の間隔をおいて設けられていることを特徴とする折り畳み式の額に係るものである。
【００１２】
また、請求項１〜４いずれか１項に記載の額１において、前記枠体２及び前記基体３は方形であることを特徴とする折り畳み式の額に係るものである。
【考案の効果】
【００１３】
本考案は上述のように構成したから、軽量で扱い易い極めて実用的な折り畳み式の額となる。
【図面の簡単な説明】
【００１４】
【図１】本実施例の内側の斜視図である。
【図２】本実施例の使用状態の斜視図である。
【図３】本実施例の使用状態の斜視図である。
【図４】本実施例の裏面の斜視図である。
【考案を実施するための形態】
【００１５】
好適と考える本考案の実施形態を、図面に基づいて本考案の作用を示して簡単に説明する。
【００１６】
基体３の表面に例えば所望の絵７を設置し、枠体２を前記基体３の上に折り重ねて積層することで両者はシートタイプのマグネット４により保持され、前記絵７は前記基体３上に固定される。
【実施例】
【００１７】
本考案の具体的な実施例について図面に基づいて説明する。
【００１８】
本実施例は、紙，段ボールなどを素材とする額１であって、基体３の一側に枠体２が連設され、前記基体３と前記枠体２とは積層可能に構成されており、前記基体３の表面外周部及び前記枠体２の内面外周部には所定間隔をおいて小片に形成した複数のシートタイプのマグネット４が設けられ、また、前記基体３の表面上が絵７などの適宜な展示物を載置する載置部に設定されている折り畳み式の額である。
【００１９】
上記シートタイプのマグネット４は、小片に形成せず、単に、前記基体３及び前記枠体２の各４辺とほぼ同様の長さに形成したシートタイプのマグネット４を使用しても良い。
【００２０】
また、基体３及び枠体２は合成樹脂製の段ボールを素材としても良い。
【００２１】
また、本実施例の前記基体３及び前記枠体２は一体にしたものであり、両者の境界で折曲可能に構成しているが、前記基体３及び前記枠体２を別体にし、両者を可撓性を有する適宜な手段（たとえば布製のテープなど）で連結する構成としても良い。
【００２２】
また、前記基体３の内面中央に前記絵７を止着するための止着部５が設けられ、また、前記基体３の裏面に前記額１を壁面へ固定するための止着部６が設けられている。
【００２３】
また、前記枠体２及び前記基体３は横長の方形である。
【００２４】
以下に各構成を具体的に説明する。
【００２５】
本実施例では使用する素材として、板紙を多層構造で強靭にした一般的な段ボールを採用している。この段ボールを二つ折りにすることで中央部に連設部（折り目）が構成される。また、この連設部を境にして片側半分（中央部がくり抜かれた側）が前記枠体２となり、反対側の片側半分（中央部を残した側）が前記基体３となる。
【００２６】
本実施例において、前記枠部２はＡ４サイズ（２９７ｍｍ×２１０ｍｍ）の面積に中央部がくり抜かれているが、この面積はＡ４サイズマイナス（２７７ｍｍ×１９０ｍｍ）でもよく、前記基体３の内面中央に止着される絵７の大きさに合わせた面積に適宜変更する。
【００２７】
前記枠体２と前記基体３を別体の段ボールで形成し、両者の一側同士を適宜な連設材、たとえば、可撓性を有する連設材（布製テープなど）で連設しても良い。
【００２８】
尚、段ボールの代わりにプラスチック段ボール（ポリプロピレン等の合成樹脂を素材とした段ボール）を用いても良い。
【００２９】
前記基体３の表面外周部及び前記枠体２の内面外周部には、夫々シートタイプのマグネット４が設けられている。具体的には、前記枠体２の内面上部，内面下部，内面左部及び内面右部夫々に３枚ずつ、計１２枚のシートタイプのマグネット４が設けられている。また、前記基体３の表面上部，表面下部，表面左部及び表面右部にも夫々同様に３枚ずつ、計１２枚のシートマグネットが設けられている。両方のシートタイプのマグネット４は、前記額１を連設部に沿って二つ折りにした際に、互いに当接する位置に付けられている。
【００３０】
また、シートタイプのマグネット４は、前記基体３の表面外周部及び前記枠体２の内面外周部の周面全域に設ける構成にしても良い。
【００３１】
前記基体３の表面中央に、所望のたとえば絵７を止着させるための止着部５は、厚さ０．１ｍｍ程度（厚さは適宜調整する。）の半透明の両面粘着シートであり、片面（前記基体３の内面に吸着する面）は強粘着性を有し、反対面（前記絵７に吸着する面）は再剥離接着可能な粘着性を有している。
【００３２】
また、前記基体３の裏面上部の左端部及び右端部の、額を壁面に止着固定するための止着部６は、前記止着部５とは異なるものが採用されている。具体的には、厚さ０．８ｍｍ程度（厚さは適宜調整する。）の発砲吸着シート（適宜な弾性を有する。）であり、片面（前記基体３の裏面に貼着する面）は強粘着性を有し、反対面（壁面に吸着する面）は再剥離接着可能に構成されている。
【００３３】
尚、前記止着部５，６として、他にコクヨ社製の再使用可能なソフト粘着剤（商品名「ひっつき虫」）など、シートを有しないものでも良い。
【００３４】
本実施例は上記のように構成したから次の作用効果を有する。
【００３５】
シートタイプのマグネット４の着磁によって枠体２及び基体３を係止する構成であることから、絵７の設置及び取り出しは前記枠体２を開閉するだけで行うことができ、裏板を額から外すといった一般的な額では当たり前に行われる煩雑な作業が一切必要ない。
【００３６】
また、額１を壁面に吸着固定するために止着部６は、繰り返し貼り剥がしができる素材を用いられているため、前記額１の設置位置の変更は容易である。
【００３７】
さらに、前記絵７を止着させるために止着部５も、前記止着部６と同様に再剥離接着可能な粘着性を有しているため、前記絵７の入れ替えは容易である。また、上記のとおり、前記額１を壁に止着した状態で前記枠体２を開閉すれば前記絵７の入れ替えができることから、前記絵７の入れ替えの際に前記額１を壁から取り外す必要はない。
【００３８】
また、本考案の前記額１は段ボールを素材にしていることから木製の額と比較して格段に軽量であり、誤って落としたとしても怪我につながる可能性は略皆無であると共に、段ボール自体は丈夫であるため、収納された前記絵７が損傷するおそれもない極めて安全性に優れた額となる。
【００３９】
また、本考案を構成する部品は段ボール，前記絵７を止着する前記止着部５及び前記額１を壁面に止着する前記止着部６の３点のみである。よって消費者に提供する形態としては完成品だけではなく、それぞれの部品をキットとして提供し、消費者自身に組み立てを楽しんでもらうことを想定した販売形態も容易に可能である。
【００４０】
本考案は、本実施例に限られるものではなく、各構成要件の、具体的構成は適宜決定し得るものである。
【符号の説明】
【００４１】
１  額
２  枠体
３  基体
４  シートタイプのマグネット
５  止着部
６  止着部
７  絵
【図１】
0003228589.tif 000003
【図２】
0003228589.tif 000004
【図３】
0003228589.tif 000005
【図４】
0003228589.tif 000006